(57)【要約】  レフィール交換を簡単な操作で容易に行うことができるとともに、レフィール交換時にスリットの変形や軸筒の割れ等を抑制できるノック式筆記具を提供することにある。解決手段  長孔１ｂを有する軸筒１と、軸筒１に挿入されたレフィール２と、レフィール２を後方に付勢する付勢部材３と、軸筒１の後部に挿入されたノック部材４と、ノック部材４の前端に接続されて後方に延び、軸筒１の径方向に弾性変形可能な弾性片４ｅと、弾性片４ｅの後端部に形成された係止突起４ｆと、弾性片４ｅに接続されて長孔１ｂにスライド可能に嵌め込まれたクリップ脚片５ａを有し、軸筒１の外周に前部を圧接乃至近接させるクリップ５とを備え、軸筒１の後部周壁における長孔１ｂの後端延長方向には、長孔１ｂの後端に中間スリット１ｃを介して接続する係止孔１ｄと、係止孔１ｄの後端に接続して軸筒１の後端に至る後部スリット１ｅとを連続形成したノック式筆記具において、前記クリップ脚片５ａの後端部には、クリップ５を付勢部材３の付勢力よりも強い押圧力で軸筒１の後端方向に押し出すことで、中間スリット１ｃおよび後部スリット１ｅを幅方向に順次拡開させる後端稜線部５ｃを形成したものである。
2010010825.tif 000002
【特許請求の範囲】
【請求項１】
後部周壁に軸方向の長孔を有する軸筒と、
前端に筆記部を有して前記軸筒に後端から挿入されたレフィールと、
該レフィールを後方に付勢する付勢部材と、
前記軸筒の後部に挿入されて前端が前記レフィールの後端に当接し、かつ、後部が前記軸筒の後端から突出するノック部材と、
該ノック部材の前端に接続されて後方に延び、前記軸筒の径方向に弾性変形可能な弾性片と、
該弾性片の後端部に形成された係止突起と、
前記弾性片に接続されて前記長孔にスライド可能に嵌め込まれたクリップ脚片を有し、前記軸筒の外周に前部を圧接乃至近接させるクリップとを備え、
前記軸筒の後部周壁における前記長孔の後端延長方向には、該長孔の後端に中間スリットを介して接続する係止孔と、該係止孔の後端に接続して前記軸筒の後端に至る後部スリットとを連続形成したノック式筆記具において、
前記クリップ脚片の後端部には、前記クリップを前記付勢部材の付勢力よりも強い押圧力で軸筒の後端方向に押し出すことで、前記中間スリットおよび前記後部スリットを幅方向に順次拡開させる後端稜線部を形成したことを特徴とするノック式筆記具。
【請求項２】
クリップ脚片の前端部には、軸筒後部へのノック部材挿入時に軸筒の後部スリットと係止孔および中間スリットを幅方向に順次拡開させて前記クリップ脚片を軸筒の長孔内に嵌入させる前端稜線部が形成されていることを特徴とする請求項１記載のノック式筆記具。
【請求項３】
後部スリットの後端には上呂形状の切欠部が形成されていることを特徴とする請求項１記載のノック式筆記具。
【請求項４】
ノック部材の前端には、軸筒内に挿入されたレフィールの後端部に嵌め込まれる嵌合凸部が形成されていることを特徴とする請求項１記載のノック式筆記具。
【請求項５】
クリップの表面には、該クリップ押圧操作時の滑り止め機能を有する押圧操作部が設けられていることを特徴とする請求項１記載のノック式筆記具。
【発明の詳細な説明】
【技術分野】
【０００１】
この発明は、軸筒の後端から該軸筒内にレフィールを挿入するノック式筆記具に関するものである。
【背景技術】
【０００２】
この種のノック式筆記具として、本出願人による特許文献１に開示のノック式筆記具がある。このノック式筆記具は、後部周壁に軸方向の長孔を有する軸筒と、前端に筆記部を有して前記軸筒内に該軸筒の後端から挿入されたレフィールと、このレフィールを後方に付勢するリターンスプリングと、前記軸筒の後部に挿入されて前端が前記レフィールの後端に当接し、かつ、後部が前記軸筒の後端から突出するノック部材と、このノック部材の前端に接続されて後方に延び、前記軸筒の径方向に弾性変形可能な弾性片と、この弾性片の表面部にほぼ直角方向に接続されて前記長孔にスライド可能に嵌め込まれたクリップ脚片を有し、前記軸筒の外周面に前部を圧接乃至近接させるクリップと、前記弾性片の後端部に形成され前面が軸筒の前端方向に向かって該軸筒の内部に向かうように傾斜形成された係止突起とを備えている。【０００３】
このような特許文献１のノック式筆記具では、軸筒の後部周壁において、前記長孔の後端に中間スリットを介して接続する係止孔と、該係止孔の後端から前記軸筒の後端に至る後部スリットを設け、その後部スリットから前記係止孔および前記中間スリットを介して前記長孔に前記クリップ脚片を嵌め込んでいる。そして、前記レフィールの筆記部がリターンスプリングの付勢力で前記軸筒内に退没した状態では、前記弾性片の係止突起が前記係止孔に係止することにより、前記筆記部の退没状態が維持される。このような筆記部の退没状態において、前記ノック部材を後端ノックすると、該ノック部材と一体のクリップおよび前記レフィールが前進し、該前進時には前記係止突起の傾斜前面が前記中間スリットの内壁面に摺接して前記弾性片が軸筒の径方向内側に弾性変形することにより、前記係止突起が前記中間スリットの内側を通過して前記長孔に移行し、このように前記係止突起が前記長孔に移行すると、前記弾性片の弾性復元力で前記係止突起が前記長孔内に嵌入して該長孔の後端壁に前記係止突起の後端が係止する。これにより、レフィール前端の筆記部が軸筒の前端から突出した筆記可能状態に維持される。【０００４】
その筆記可能状態において、クリップの表面部を押圧（ノック）すると、前記弾性片が軸筒の径方向内側に弾性変形して前記係止突起の後端と前記長孔の後端との係止が解除され、前記レフィールとノック部材がリターンスプリングの付勢力で後退移動し、前記係止突起が前記係止孔に移行すると、前記弾性片の弾性復元力で前記係止突起が前記係止孔に嵌入して該係止孔の後端に前記係止突起の後端が係止することにより、前記筆記部が前記軸筒内に退没した状態に維持される。【０００５】
このような特許文献１のノック式筆記具は、部品点数を増加させることなく、筆記部を軸筒の前端から突出させた状態を安定して維持するとともに、クリップの弾発力を大きくすることを意図したものである。特に、軸筒前端からの筆記部の突出状態を安定維持するために、特許文献１のノック式筆記具では、軸筒前端からの筆記部の突出状態で長孔の後端に係止させる係止突起を弾性片の後端に軸筒の径方向外側に向かって突出形成したことを特徴としており、軸筒の長孔については平面長方形状に形成し、クリップ脚片については該クリップ脚片の前・後端が軸筒に直交する方向の面形状とした横断面矩形状に形成し、前記筆記部が軸筒内に退没した状態では、前記リターンスプリングの付勢力で前記クリップ脚片の後端面を前記長孔の後端面に面接触状態に当接させて前記クリップ脚片が前記長孔から軸筒の後端方向外方に抜け難くしてある。
【先行技術文献】
【特許文献】
【０００６】
【特許文献１】実用新案登録第３１３９７５５号公報
【発明の概要】
【発明が解決しようとする課題】
【０００７】
特許文献１のノック式筆記具は以上のように構成され、特にクリップ脚片の前・後端が軸筒に直交する方向の面形状をなしてクリップ脚片全体が横断面矩形状に形成され、そのクリップ脚片を平面長方形状の長孔に嵌め込むことにより、該長孔から軸筒の後端方向外方に抜け難くなっており、レフィール交換を意図した構造とはなっていないので、レフィールを交換するためには、前記長孔に嵌め込まれたクリップ脚片が前記中間スリットから係止孔を介して後部スリットを通過する方向にノック部材を相当な離脱力で強引に移動させて軸筒から取り外さなければならないという課題があった。このようなノック部材の取り外し時には、前記クリップ脚片によって前記中間スリットおよび後部スリットを無理に押し広げることとなるので、前記各スリットの変形や該スリットの強引な押し広げによる軸筒の割れ等が生じ易いという課題があった。したがって、特許文献１のノック式筆記具は容易に行うことができないという課題があった。【０００８】
なお、特許文献１以外のノック式筆記具として、軸筒前端の先具もしくは軸筒後端の尾冠を取り外すことによってレフィール交換が可能な構造とした一般的なレフィーラブルボールペンも周知であるが、レフィール交換に際しては前述のように軸筒に対して先具や尾冠の繰り返し脱着を行わなければならず、レフィール交換作業に手間と労力を要するという課題があった。【０００９】
この発明は上記のような課題を解決するためになされたもので、レフィール交換を簡単な操作で容易に行うことができるとともに、レフィール交換時にスリットの変形や軸筒の割れ等を抑制できるノック式筆記具を提供することを目的とする。
【課題を解決するための手段】
【００１０】
この発明に係るノック式筆記具は、後部周壁に軸方向の長孔を有する軸筒と、前端に筆記部を有して前記軸筒に後端から挿入されたレフィールと、該レフィールを後方に付勢する付勢部材と、前記軸筒の後部に挿入されて前端が前記レフィールの後端に当接し、かつ、後部が前記軸筒の後端から突出するノック部材と、該ノック部材の前端に接続されて後方に延び、前記軸筒の径方向に弾性変形可能な弾性片と、該弾性片の後端部に形成された係止突起と、前記弾性片に接続されて前記長孔にスライド可能に嵌め込まれたクリップ脚片を有し、前記軸筒の外周に前部を圧接乃至近接させるクリップとを備え、前記軸筒の後部周壁における前記長孔の後端延長方向には、該長孔の後端に中間スリットを介して接続する係止孔と、該係止孔の後端に接続して前記軸筒の後端に至る後部スリットとを連続形成したノック式筆記具において、
前記クリップ脚片の後端部には、前記クリップを前記付勢部材の付勢力よりも強い押圧力で軸筒の後端方向に押し出すことで、前記中間スリットおよび前記後部スリットを幅方向に順次拡開させる後端稜線部を形成したことを特徴とする。【００１１】
この発明に係るノック式筆記具は、クリップ脚片の前端部に、軸筒後部へのノック部材挿入時に軸筒の後部スリットと係止孔および中間スリットを幅方向に順次拡開させて前記クリップ脚片を軸筒の長孔内に嵌入させる前端稜線部が形成されていることを特徴とする。【００１２】
この発明に係るノック式筆記具は、後部スリットの後端に上呂形状の切欠部を形成したことを特徴とする。【００１３】
この発明に係るノック式筆記具は、ノック部材の前端に、軸筒内に挿入されたレフィールの後端部に嵌め込まれる嵌合凸部が形成されていることを特徴とする。【００１４】
この発明に係るノック式筆記具は、クリップの表面に該クリップ押圧操作時の滑り止め機能を有する押圧操作部が設けられていることを特徴とする。
【発明の効果】
【００１５】
この発明のノック式筆記具によれば、ノック部材の弾性片とクリップとを接続するクリップ脚片の後端部に形成した後端稜線部によって、レフィール交換時には、前記クリップを付勢部材の付勢力よりも強い押圧力で軸筒の後端方向に押し出すだけの簡単な操作により、軸筒の中間スリットおよび後部スリットを幅方向に順次スムーズに拡開させることができ、これによって、前記クリップ脚片が前記中間スリットおよび前記後部スリットを通過することによりノック部材を軸筒の後端から容易に外すことができ、このため、レフィールの交換を容易に手際良く行うことができるという効果がある。このようにレフィール交換時には、クリップ脚片の後端稜線部によって前記中間スリットおよび後部スリットを幅方向に容易に拡開させることができるので、前記ノック部材を軸筒後端からの取り外し方向に強引に移動させる必要がなく、このため、前記各スリットの変形や軸筒の割れ等を抑制することができるという効果がある。【００１６】
この発明のノック式筆記具によれば、クリップ脚片の前端部に形成した前端稜線部によって、軸筒後部へのノック部材挿入時においても軸筒の後部スリットおよび中間スリットを幅方向に順次スムーズに拡開させることができ、このため、前記クリップ脚片を前記長孔内に容易に組み込むことができるという効果がある。【００１７】
この発明のノック式筆記具によれば、軸筒の後部スリットの後端に形成された上呂形状の切欠部によって、クリップ脚片を長孔に向かってスムーズに押し込むことができ、このため、ノック部材を容易に組み込むことができるという効果がある。【００１８】
この発明のノック式筆記具によれば、ノック部材の前端に形成された嵌合凸部が軸筒内のレフィールの後端部に嵌め込まれるので、前記レフィールをノック部材と一体的に取り外すことができ、レフィール交換をいっそう容易に行うことができるという効果がある。【００１９】
この発明のノック式筆記具によれば、クリップの表面に設けられた押圧操作部が滑り止め機能を有するので、ノック部材取り外し時に使用者がクリップを押圧してノック部材取り外し方向に移動させる操作力がクリップおよびノック部材に伝達され易くなり、このため、クリップを押圧して移動させる操作性が向上し、前記ノック部材をいっそう容易に取り外すことができるという効果がある。
【図面の簡単な説明】
【００２０】
【図１】この発明の実施の形態１によるノック式筆記具を示す断面図である。
【図２】図１中の軸筒を示す平面図である。
【図３】図２の軸筒後部の拡大断面図である。
【図４】図２の軸筒全体を示す断面図である。
【図５】図１中のノック部材とクリップを示す斜視図である。
【図６】図５の側面図である。
【図７】図６の断面図である。
【図８】図６のＡ−Ａ線断面図である。
【図９】この発明の実施の形態１によるノック式筆記具の要部を示す動作説明図である。
【図１０】この発明の実施の形態２によるノック式筆記具のクリップを示す平面図である。
【図１１】図１０の側面図である。
【図１２】この発明の実施の形態４のノック部材とクリップ側面図である。
【図１３】図１２の矢視図である。
【図１４】図１２のＡ−Ａ線断面図である。
【図１５】図１２のＢ−Ｂ線断面図である。
【発明を実施するための形態】
【００２１】
実施の形態１．
図１はこの発明の実施の形態１によるノック式筆記具を示す断面図、図２は図１中の軸筒を示す平面図、図３は図２の軸筒後部の拡大断面図、図４は図２の軸筒全体の断面図である。
この実施の形態１によるノック式筆記具は、図１および図２に示すように、前端に芯繰出口１ａを有し、かつ後部周壁に軸方向の長孔１ｂを有する軸筒１と、前端に筆記部２ａを有して該筆記部２ａが前記軸筒１前端の芯繰出口１ａから出没可能となるように前記軸筒１内に後端から挿脱可能に挿入されたレフィール２と、このレフィール２を後退方向に付勢するリターンスプリング（付勢部材）３と、前記軸筒１の後部に挿入されて前端が前記レフィール２の後端に当接し、かつ、後部が前記軸筒１の後端から突出するノック部材４と、このノック部材４に接続されて前記軸筒１の外周面に前部を圧接乃至近接させるクリップ５とを備えた構成のレフィーラブルボールペンからなっている。
【００２２】
さらに詳細な構造について説明すると、まず、前記軸筒１の周壁後部には、図２および図３に示すように、前記長孔１ｂの後端に中間スリット１ｃを介して接続する係止孔１ｄと、該係止孔１ｄの後端に接続して前記軸筒１の後端に至る後部スリット１ｅとが前記長孔１ｂの後端延長方向に連続形成されている。
前記長孔１ｂは平面長方形状に形成され、前記係止孔１ｄの前端部は前記中間スリット１ｃの後端側が漸次幅狭くなるテーパー状に形成され、前記後部スリット１ｅの後端部には幅方向に拡開した上呂形状の切欠部１ｆが形成されている。
【００２３】
図５はノック部材４と一体のクリップ５を示す斜視図、図６は図５の側面図、図７は図６の断面図、図８は図６のＡ−Ａ線断面図である。
これらの図に示すように、前記ノック部材４は、円筒形状の後端ノック部４ａと、この後端ノック部４ａから前記軸筒１の内周面に沿って前方に延びる前方延出部４ｂと、この前方延出部４ｂの前端に連続形成されて軸筒１内のレフィール２の後端に当接させる前端頭部４ｃと、この前端頭部４ｃの前端面中心部に突設されて前記レフィール２の後端内部に嵌入される嵌合凸部４ｄと、前記前端頭部４ｃの後端に接続し後方に向かって前方延出部４ｂとほぼ並行する方向に延び、軸筒１の径方向に弾性変形可能で、かつ、後端が前記後端ノック部４ａの前端と離間する弾性片４ｅと、この弾性片４ｅの後端に一体形成されて軸筒１の径方向外方を向き係止突起４ｆとから構成されている。そして、前記係止突起４ｆの前面部は、この係止突起４ｆの突端から軸筒１の内径方向に向かって傾斜する傾斜前面４ｇとして形成されている。また、前記係止突起４ｆの後端には、図６および図７に示すように反り返り傾斜面４ｈが形成されている。この反り返り傾斜面４ｈは、前記長孔１ｂの後端および前記係止孔１ｄの後端に対する係止面となるもので、それらの長孔１ｂおよび係止孔１ｄの後端外縁部を軸筒１の内径方向に押え込む（抱え込む）方向に傾斜している。
【００２４】
このように構成されたノック部材４の弾性片４ｅのほぼ中腹部には、該弾性片４ｅと直行する方向のクリップ脚片５ａを介してクリップ５が一体形成されており、このクリップ５は前端部が前記弾性片４ｅの弾発力で軸筒１の外周面に圧接するように構成されている。ここで、ノック部材４の弾性片４ｅとクリップ５とを一体に接続しているクリップ脚片５ａの前端部には、図６〜図８に示すように前端稜線部５ｂが形成され、かつ、クリップ脚片５ａの後端部には後端稜線部５ｃが形成されており、前端稜線部５ｂは軸筒１に対する後方からノック部材４の組込み時に後部スリット１ｅと係止孔１ｄおよび中間スリット１ｃをこの順序でそれぞれの幅方向に拡開し易くするためのものであり、後端稜線部５ｃはノック部材４の取り外し時に前記中間スリット１ｃと係止孔１ｄおよび後部スリット１ｅをこの順序でそれぞれの幅方向に拡開し易くするためのものである。
【００２５】
前記クリップ５の前端部は、前記弾性片４ｆの弾発力で軸筒１の外周面に圧接乃至近接するようになっており、また前記クリップ５の後端部表面には凹曲面状をなした押圧力増強部５ｄが形成されている。一方、前記軸筒１のグリップ部にはゴム等の弾性材からなるグリッパー６（図１参照）が嵌着されている。
【００２６】
次に、この実施の形態１によるノック式筆記具の組み立てについて動作説明を兼ねて説明する。図９（ａ）（ｂ）はノック式筆記具の要部を示す動作説明図である。
まず、レフィール２の前端側にリターンスプリング３を嵌め込み、この状態のレフィール２を軸筒１内に該軸筒１の後端から挿入する。次いで、ノック部材４の前端頭部４ｃ側を軸筒１の後部に挿入しながらクリップ脚片５ａの前端稜線部５ｂを軸筒１後端の切欠部１ｆから後部スリット１ｅに押し込むと、その後部スリット１ｅに前端稜線部５ｂが介入することにより前記後部スリット１ｅと係止孔１ｄおよび中間スリット１ｃがそれぞれの幅方向に押し広げられてクリップ脚片５ａが前記後部スリット１ｅと係止孔１ｄおよび中間スリット１ｃをこの順序で通過して長孔１ｂに嵌め込まれることにより、ノック部材４が軸筒１の後部に組み込まれる。
【００２７】
このようなノック部材４の組込み過程において、前記後部スリット１ｅに沿ったクリップ脚片５ａの前進移動時には、ノック部材４の弾性片４ｅ後端の係止突起４ｆの傾斜前面４ｇが前記後部スリット１ｅの内側縁部に摺接することにより前記弾性片４ｅは軸筒１の内径方向に弾性変形し、前記係止突起４ｆが後部スリット１ｅの裏側領域を通過して係止孔１ｄに到達すると、この時点で前記弾性片４ｅの弾性復元力で前記係止突起４ｆが係止孔１ｄ内に突入し、前記リターンスプリング３の後方付勢力によって前記係止突起４ｆの後端が係止孔１ｄの後端に係止（図９（ｂ）参照）されることにより、前記レフィール２は前端の筆記部２ａが軸筒１内に退没した状態（筆記具不使用状態）に維持される。この状態ではノック部材４前端の嵌合凸部４ｄがレフィール２の後端内部に圧入嵌合された状態に維持される。
【００２８】
そして、レフィール２前端の筆記部２ａが軸筒１内に退没した状態において、ノック部材４の後端をノックすると、前記係止突起４ｆの傾斜前面４ｇが今度は中間スリット１ｃの内側縁部に摺接することにより、この場合も前記弾性片４ｅが軸筒１の内径方向に弾性変形して係止突起４ｆが前進し、該係止突起４ｆが前記中間スリット１ｃの裏側領域を前進方向に通過すると、レフィール２前端の筆記部２ａが軸筒１の前端から突出すると同時に弾性片４ｅの弾性復元力によって係止突起４ｆが長孔１ｂ内に突入するので、この時点でノック部材４の後端ノックを解除すると、リターンスプリング３の後方付勢力で係止突起４ｆの後端が長孔１ｂの後端に係止する（図９（ａ）参照）。これにより、前記レフィール２は前端の筆記部２ａが軸筒１の前端から突出した筆記可能な状態に維持される。
【００２９】
このような筆記可能な状態からクリップ５の後部表面を軸筒１側に押圧すると、クリップ脚片５ａを介して弾性片４ｅが軸筒１の内径方向に弾性変形することにより、弾性片４ｅ後端の係止突起４ｆが長孔１ｂの後端壁との係止位置から軸筒１の内径方向に離脱して長孔１ｂに対する係止突起４ｆの後端係止が解除されると同時に、前記リターンスプリング３の後方付勢力でレフィール２とノック部材４が共に後退移動して筆記部２ａが軸筒１内に退没するとともに、係止突起４ｆが係止孔１ｄに移動して該係止孔１ｄの後端に係止突起４ｆの後端が係止して筆記部２ａが軸筒１内に退没した状態に維持される。
【００３０】
次に、レフィール２の交換について説明する。
レフィール２前端の筆記部２ａが軸筒１の前端から突出した状態、すなわち、係止突起４ｆの後端が長孔１ｂの後端に係止した状態において、レフィール２を交換する場合、クリップ５後端部の押圧操作部５ｄを押圧してクリップ５を軸筒１の後端方向に押し動かすと、長孔１ｂの後端に対する係止突起４ｆの後端係止が解除されるとともに、クリップ脚片５ａの後端稜線部５ｃが中間スリット１ｃおよび後部スリット１ｅに順次介入してこれらの中間スリット１ｃおよび後部スリット１ｅをそれぞれの幅方向に拡開しながらクリップ脚片５ａが中間スリット１ｃおよび後部スリット１ｅを順次通過することにより、クリップ脚片５ａが後部スリット１ｅから後方に抜け出してノック部材４が取り外される。そのノック部材４の嵌合凸部４ｄはレフィール２の後端内部に圧入嵌合されているので、ノック部材４と共にレフィール２が軸筒１から後方に抜き取られる。
【００３１】
このようにして軸筒２内から抜き取られたレフィール２を新たなレフィールと交換して新たなレフィール２を軸筒１内に後端から挿入した後、ノック部材４を軸筒１内に後端から挿入することによって軸筒１の後部にノック部材４が組み込まれる。
以上は、筆記部２ａが軸筒１の前端から突出・維持された状態でレフィール２を交換する場合であるが、筆記部２ａが軸筒１内に退没・維持された状態においても前記と同様の操作要領でレフィール２の交換を行うことができる。
【００３２】
以上説明した実施の形態１によれば、ノック部材４の弾性片４ｅとクリップ５とを一体に接続しているクリップ脚片５ａの前端部および後端部に前端稜線部５ｂおよび後端稜線部５ｃを形成し、そのクリップ脚片５ａを軸筒１の後端から後部スリット１ｅ→係止孔１ｄ→中間スリット１ｃを順に介して長孔１ｂ内にスライド可能に組み込むように構成したので、ノック部材４を軸筒１の後部に挿入して組み込む際に、前記クリップ脚片５ａの前端稜線部５ｂで前記後部スリット１ｅおよび中間スリット１ｃがそれぞれの幅方向に順次押し広げられることにより、前記クリップ脚片５ａを前記後部スリット１ｅおよび中間スリット１ｃに対して容易に通過させることができ、これにより、前記クリップ脚片５ａを長孔１ｂ内に簡単に組み込むことができ、このため、軸筒１の後部に対するノック部材４の組み付けを容易に行うことができるという効果がある。
【００３３】
しかも、前記後部スリット１ｅの後端には該後部スリット１ｅの幅よりも幅広く拡開した上呂形状の切欠部１ｆが形成され、さらには係止孔１ｄの前端部には中間スリット１ｃの後端に向かって漸次幅狭くなる傾斜孔部１ｇが形成され、この傾斜孔部１ｇによって係止孔１ｄの前端と中間スリット１ｃの後端が接続されているので、前記クリップ脚片５ａの前端稜線部５ｂを前記後部スリット１ｅおよび中間スリット１ｃのそれぞれにいっそう押し込み易くなるという効果がある。
【００３４】
また、ノック部材４の前端中心部には、軸筒１後部へのノック部材４挿入時において、軸筒１内に挿入されているレフィール２の後端内部に圧入嵌合させるための嵌合凸部４ｄが突設されているので、レフィール２の交換に際してのノック部材４の取り外し時に前記レフィール２をノック部材４に追従させて両者を一体的にワンタッチ操作で取り外すことができるという効果がある。
【００３５】
さらにノック部材４の取り外し時においては、クリップ脚片５ａ後端部の押圧操作部５ｄを押圧して軸筒１の後端方向に押動させると、前記長孔１ｂの後端または係止孔１ｄの後端に対する係止突起４ｆの係止が解除されると同時に、クリップ脚片５ａの後端稜線部５ｃによって中間スリット１ｃおよび後部スリット１ｅをそれぞれの幅方向に容易に押し広げることができるので、ノック部材４の取り外しも簡単に行うことができるという効果がある。
【００３６】
さらに、前記押圧操作部５ｄは表面が凹曲面形状に形成されて押圧操作時の滑り止め機能を有するので、ノック部材４の取り外し時にクリップ５と共にノック部材４を軸筒１の後端方向に容易に押動させて取り外すことができるという効果がある。
【００３７】
さらには、前述のように後部スリット１ｅの後端に幅広く拡開した上呂形状の切欠部１ｆを形成し、かつ、係止孔１ｄの前端と長孔１ｂの後端を傾斜孔部１ｇで一連に接続すると共に、クリップ脚片５ａの前端部および後端部に前端稜線部５ｂおよび後端稜線部５ｃを形成したことにより、クリップ脚片５ａの前端挑戦部５ｂおよび後端稜線部５ｃによって後部スリット１ｅおよび中間スリット１ｃを幅方向に軽い操作力で容易に押し広げることができるので、後部スリット１ｅや中間スリット１ｃの無理な拡開に起因したスリットの変形や軸筒１の割れ等を防止することができるという効果がある。
【００３８】
また、ノック部材４の後端ノック時には前記係止突起４ｆの傾斜前面４ｇが中間スリット１ｃの内側縁部に摺接することによって、前記係止突起４ｆを中間スリット１ｃの下方に潜らせて該スリット１ｃをスムーズに通過させることができるという効果がある。さらに、前記係止突起４ｆの後端に形成した反り返り傾斜面４ｈによって、リターンスプリング３の付勢力を受けている前記係止突起４ｆを前記係止孔１ｄの後端もしくは前記長孔１ｂの後端に対して確実に係合させることができ、その係合力が増強してレフィール２をノック位置および軸筒１内への退没位置に確実に保持できるという効果がある。
【００３９】
実施の形態２．
図１０はこの発明の実施の形態２によるノック式筆記具のクリップを示す平面図、図１１は図１０の側面図である。
この実施の形態２では、前記実施の形態１におけるクリップ５の後端部表面に形成された押圧操作部５ｄの表面に、前記クリップ５の長手方向と直交する方向の滑り止め用のリブ５ｅを形成したものであり、そのリブ５ｅにより、ノック部材４の取り外し時に前記押圧操作部５ｄを押圧して軸筒１の後端方向に押動させる操作を容易に行うことができ、その操作性をいっそう向上させることができるという効果がある。
【００４０】
実施の形態３．
前記実施の形態１では、クリップ脚片５ａの前端部と後端部の両方に前端稜線部５ｂと後端稜線部５ｃを形成した場合について説明したが、この発明によるノック式筆記具は、前記クリップ脚片５ａの後端部にのみ後端稜線部５ｃを形成したものであってもよい。この場合においても、前記後端稜線部５ｃによって、レフィール２の交換時には、前記クリップ５をリターンスプリング３の付勢力よりも強い押圧力で軸筒１の後端方向に押し出すだけの簡単な操作により、軸筒１の中間スリット１ｃおよび後部スリット１ｅを幅方向に順次スムーズに拡開させることができ、これによって、クリップ脚片５ａが前記中間スリット１ｃおよび後部スリット１ｅを通過することによりノック部材４を軸筒１の後端から容易に外すことができる。このため、レフィール２の交換を容易に手際良く行うことができるという効果がある。このようにレフィール２の交換時には、前記後端稜線部５ｃによって前記中間スリット１ｃおよび後部スリット１ｅを幅方向に容易に拡開させることができるので、前記ノック部材４を軸筒１後端からの取り外し方向に強引に移動させる必要がなく、このため、前記各スリット１ｃ，１ｅの変形や軸筒１の割れ等を抑制することができるという効果がある。
【００４１】
実施の形態４．
図１２はこの発明の実施の形態４のノック部材とクリップ側面図、図１３は図１２の矢視図、図１４は図１２のＡ−Ａ線断面図、図１５は図１２のＢ−Ｂ線断面図である。
図１２〜図１５に示すように、クリップ脚片５ａの前端部には、上記実施の形態1と同様に、前端稜線部５ｂが形成されているが、この実施の形態４では、クリップ脚片５ａの後端部の後端稜線部５ｃの構造が上記実施の形態1と異なる。
【００４２】
すなわち、クリップ脚片５ａの後端部は、その上方領域にのみ後端稜線部５ｃが形成され、その下方領域は、後端稜線部５ｃが存在しない平面壁状５ｄが形成されている。
【００４３】
以上説明した実施の形態４によれば、筆記具不使用時（図９（ｂ）参照）には、リターンスプリング３の後方付勢力によって係止突起４ｆの後端が係止孔１ｄの後端に係止されることにより、前記レフィール２は前端の筆記部２ａが軸筒１内に退没した状態に維持される。この状態で何らかの不要外力が作用して、万が一、係止突起４ｆの後端と係止孔１ｄの後端との係止が解除されたとしても、クリップ脚片５ａの後端部の下方領域は、後端稜線部５ｃが存在しない平面壁状５ｄに形成されているので、中間スリット１ｃおよび後部スリット１ｅをそれぞれの幅方向に容易に押し広げることはないので、ノック部材４が後方に移動して、ノック部材４が抜落ちてしまうという事態を防止できるという効果がある。
【００４４】
他方、レフィール交換時においては、クリップ脚片５ａ後端部の押圧操作部５ｄを押圧して軸筒１の後端方向に押動させると、係止孔１ｄの後端に対する係止突起４ｆの係止が解除されると同時に、クリップ脚片５ａの上方領域にのみ形成された後端稜線部５ｃによって中間スリット１ｃおよび後部スリット１ｅをそれぞれの幅方向に容易に押し広げることができるので、レフィール交換時においてのみ確実かつスムーズに簡単に行うことができる。
【００４５】
したがって、レフィール交換時のみクリップ脚片５ａの後端稜線部５ｃの機能が働き、それ以外のときは、クリップ脚片５ａの平面壁状５ｄの機能により、不用意にノック部材４が抜落ちてしまうという事態を防止できるという効果がある。
【符号の説明】
【００４６】
１  軸筒
１ａ  芯繰出口
１ｂ  長孔
１ｃ  中間スリット
１ｄ  係止孔
１ｅ  後部スリット
１ｆ  切欠部
１ｇ  傾斜孔部
２  レフィール
２ａ  筆記部
３  リターンスプリング（付勢部材）
４  ノック部材
４ａ  後端ノック部
４ｂ  前方延出部
４ｃ  前端頭部
４ｄ  嵌合凸部
４ｅ  弾性片
４ｆ  係止突起
４ｇ  傾斜前面
４ｈ  反り返り傾斜面
５  クリップ
５ａ  クリップ脚片
５ｂ  前端稜線部
５ｃ  後端稜線部
６  グリッパー
【図１】
2010010825.tif 000003
【図２】
2010010825.tif 000004
【図３】
2010010825.tif 000005
【図４】
2010010825.tif 000006
【図５】
2010010825.tif 000007
【図６】
2010010825.tif 000008
【図７】
2010010825.tif 000009
【図８】
2010010825.tif 000010
【図９】
2010010825.tif 000011
【図１０】
2010010825.tif 000012
【図１１】
2010010825.tif 000013
【図１２】
2010010825.tif 000014
【図１３】
2010010825.tif 000015
【図１４】
2010010825.tif 000016
【図１５】
2010010825.tif 000017
【国際調査報告】
2010010825.tif 000018
2010010825.tif 000019
2010010825.tif 000020
2010010825.tif 000021